(57)【要約】【課題】近赤外線の透過率が高く、優れた乾燥性能を発揮するとともに、優れた防眩性能を備えるドライヤーを提供する。【解決手段】光学フィルタ３５が、波長が８３０ｎｍから２０００ｎｍの近赤外領域での平均透過率が８０％以上であり、しかも光学フィルタ３５の可視光領域における透過率（Ｔ（λ））と、明所標準比視感度（Ｖ（λ））と、発光体２３の出力（Ｐ）と、波長間隔とを乗法してなる数値を、３６０ｎｍ〜８３０ｎｍの可視光領域において積分してなる係数（Ｆ）が１０．００×１０−６（Ｗｍ）以下となるように設定する。【選択図】図１８
2020074893.tif 000002
【特許請求の範囲】
【請求項１】
先端に吹出口（９）を有し、内部に導風路（７）が形成された本体ケース（１）と、
導風路（７）内に設けられて乾燥風を生起して吹出口（９）へ送給する送風ファン（３）と、
導風路（７）内に設けられた加熱源となる発光体（２３）と、
本体ケース（１）の内部に設けられて発光体（２３）から放された光を吹出口（９）に向って反射案内するリフレクタ（３４）と、
リフレクタ（３４）と吹出口（９）との間の光放射経路に配置されて、可視光の透過を阻む光学フィルタ（３５）と、を備え、
光学フィルタ（３５）が、波長が８３０ｎｍから２０００ｎｍの近赤外領域での平均透過率が８０％以上であり、しかも下記数式１で表される光学フィルタ（３５）の透過率スペクトルと明所標準比視感度と発光体（２３）の出力から求められる係数Ｆが１０．００×１０−６（Ｗｍ）以下に設定されていることを特徴とするドライヤー。
【数１】
2020074893.tif 000004
【請求項２】
発光体（２３）がハロゲンランプであり、色温度が２０００Ｋ以上、４０００Ｋ以下である、請求項１記載のドライヤー。
【発明の詳細な説明】
【技術分野】
【０００１】
本発明は、赤外線を利用して毛髪などの乾燥を行うドライヤーにおいて、防眩性能の向上を図る技術に関する。
【背景技術】
【０００２】
本発明のドライヤーは、熱源として主として赤外線を放射する発光体を用いるが、この種のドライヤーは特許文献１に開示されている。特許文献１に記載のドライヤーは、円筒状の本体部（本体ケース）の内部に、ファン（送風ファン）と、熱線性光源（発光体）と、熱線性光源の周囲を覆う反射体（リフレクタ）と、反射体の開口面を塞ぐフィルタ（光学フィルタ）などを備える。熱線性光源は、ハロゲンランプ、白熱ランプ、キセノンランプ、メタルハライドランプなどで構成される。
【先行技術文献】
【特許文献】
【０００３】
【特許文献１】国際公開第２０１６／０７２０３１号
【発明の概要】
【発明が解決しようとする課題】
【０００４】
特許文献１のドライヤーにおいて、フィルタは熱線性光源の赤外線を透過させ、可視光を減衰させる目的で配されている（特許文献１の請求項４）。しかし、特許文献１にはフィルタの防眩性能についての具体的な記載は無く、フィルタの防眩効果の評価についての具体的な記載も無い。このため特許文献１のドライヤーでは、フィルタによって、ある程度の可視光は減衰されると推測できるものの、実際にフィルタを透過した光がユーザーの目に入ったときに、ユーザーが眩しさを感じるおそれがある。すなわち、フィルタによる可視光の減衰性能と、フィルタを透過した可視光がユーザーの目に入ったときにユーザーが感じる眩しさを抑えることができるフィルタの防眩性能との間には乖離があるが、特許文献１では当該乖離について全く考慮されておらず、その点に改良の余地があった。
【０００５】
本発明は、以上のような従来のドライヤーの抱える問題を解決するためになされたものであり、近赤外線の透過率が高く、優れた乾燥性能を発揮するとともに、優れた防眩性能を備えるドライヤーを提供することを目的とする。
【課題を解決するための手段】
【０００６】
本発明者等は、光学フィルタの防眩性能を評価するためには、可視光領域における光学フィルタの透過率を単純に比較するだけでは不十分であり、（１）光学フィルタを通過した可視光がヒトの目に入ったときの明るさを定量的に捉えるためには、明るい環境でのヒトの目の明るさの感じ具合である比視感度（明所標準比視感度）を勘案することが必要であること、（２）光学フィルタを透過する光の強さは発光体の出力に左右されること、さらに、（３）発光体から照射される光には、一つの波長の光のみが含まれるのではないため、光学フィルタを透過した可視光が目に入ったときの明るさを捉えるためには、可視光領域に属する各波長の全てにおいて、上記の「透過率」と「明所標準比視感度」と「発光体の出力」の三者から算出される数値を積分する必要があるとの知見を得て、本発明を完成するに至った。加えて、上記積分により算出される係数（Ｆ）と、実際に当該係数（Ｆ）における光学フィルタを透過した光の眩しさを客観的に評価することで、本発明を完成するに至った。また、近赤外線の平均透過率を８０％以上とすることで、優れた乾燥性能を発揮するドライヤーが得られるとの知見から本発明を完成するに至った。
【０００７】
すなわち、本発明のドライヤーは、先端に吹出口９を有し、内部に導風路７が形成された本体ケース１と、導風路７内に設けられて乾燥風を生起して吹出口９へ送給する送風ファン３と、導風路７内に設けられた加熱源となる発光体２３と、本体ケース１の内部に設けられて発光体２３から放された光を吹出口９に向って反射案内するリフレクタ３４と、リフレクタ３４と吹出口９との間の光放射経路に配置されて、可視光の透過を阻む光学フィルタ３５とを備える。そして、光学フィルタ３５が、波長が８３０ｎｍから２０００ｎｍの近赤外領域での平均透過率が８０％以上であり、しかも下記数式１で表される光学フィルタ３５の透過率スペクトルと明所標準比視感度と発光体２３の出力から求められる係数Ｆが１０．００×１０−６（Ｗｍ）以下に設定されていることを特徴とする。
【数１】
2020074893.tif 000003
【０００８】
光学フィルタ３５の透過率スペクトルは、市販の分光光度計を用いて測定することが可能であり、例えば、日本分光社製のV-700シリーズ、V-600シリーズ、V-500シリーズ蛍光分光光度計を用いて、タングステンランプを光源に用いて測定することができる。
明所標準比視感度は国際照明委員会（ＣＩＥ）で定められたＣＩＥ−１９２４を用いる。なお、当該ＣＩＥ−１９２４は、://www.cvrl.org/cie.htmからダウンロード可能である。
発光体２３の出力は、定格電圧で用いる場合は、カタログスペックに記載された出力値を用いる。出力を制御する目的で定格電圧以下で使用する場合は、下記の式を用いて出力を制御する。
Ｐ＝Ｐ’×（Ｅ／Ｅ’）２
Ｐ  ：発光体の出力
Ｐ’：発光体の定格出力
Ｅ  ：実使用電圧
Ｅ’：発光体の定格電圧
【０００９】
本発明における光学フィルタ３５は、可視光の透過性が低く、赤外線の透過性が高いものが望ましく、例えば、光学ガラスの表面に光学膜を配置し、可視光を反射し、赤外線を透過するいわゆるコールドミラーと呼ばれる特性を有するものが好ましい。光学ガラスとしては、熱衝撃に強いガラスを用いることが望ましく、石英ガラス、低熱膨張性ガラス、耐熱ガラスなどが好ましい。石英ガラスとしては、合成石英ガラスと、天然の石英からつくられる溶融石英ガラスのいずれであってもよい。低熱膨張性ガラスは、結晶化ガラスとも呼ばれ、熱膨張率が負の材料を混合することで熱膨張率をゼロ近くまで抑えたものであり、ショット社製のネクストリーマ（登録商標）、日本電気硝子社製のネオセラム（登録商標）などを挙げることができる。耐熱ガラスとしては、ダウコーニング社のパイレックス（登録商標）、ショット社製のテンパックス（登録商標）などを挙げることができる。光学膜としては、耐熱性の観点から誘電体多層膜を用いることが好ましい。
【００１０】
光学フィルタ３５の透過率特性は、赤外線、特に近赤外線の透過率がなるべく高く、可視光の透過率がなるべく低い特性を示すものであることが好ましい。また、紫外線に関しては、健康面への影響を考えると透過率はなるべく低いことが望ましい。理想的には、紫外線と可視光とを全く透過せず、赤外線を全て透過する特性を有することが望ましいが、現実には紫外線と可視光の透過率をゼロにすることは不可能であり、また赤外線の透過率を１００％にすることも不可能である。誘電体多層膜を用いる場合、理想的な透過率スペクトルにより近づけるためには、非常に多くの積層数を必要とする。一般的に誘電体多層膜は真空蒸着によって基材上に形成されるため、層数が多くなれば多くなるほど作成に工数が増えることになりコスト高となる。したがって、できる限り少ない層数で所望の特性を得られるようにすることが重要である。必要な総数は、求める特性によって変わることになるが、コスト面を考慮すると、２０層以下、より望ましくは１５層以下とすることが好ましい。
【００１１】
本発明における発光体２３としては、近赤外線領域に多くの発光特性を有するものであればよく、ハロゲンランプ、タングステンランプ、キセノンランプ、メタルハライドランプなどが好ましく、耐久性、出力、波長特性などからハロゲンランプが最も好ましい。発光体２３の形状は、リフレクタ３４を用いることを考えると、なるべく小型で点光源に近いものが好ましい。また、発光体２３の色温度は２０００Ｋ以上、４０００Ｋ以下であることが好ましい。
【発明の効果】
【００１２】
本発明においては光学フィルタ３５の近赤外線の平均透過率を８０％以上としたので、すなわち、透過率スペクトルで特定される近赤外線領域における平均透過率が８０％以上である光学フィルタ３５を採用したので、当該光学フィルタ３５により近赤外線は殆ど減退されず、発光体２３から発光された近赤外線を効率的に毛髪等の対象物に照射できる。これにより、近赤外線に由来する毛髪に対する加熱性能が良好に発揮されるので、優れた乾燥性能を有するドライヤーを得ることができる。
【００１３】
また、本発明によれば、上記数式１から得られる係数Ｆを１０．００×１０−６（Ｗｍ）以下に設定したので、光学フィルタ３５を通過した光がユーザーの目に入ったときにも、ユーザーが眩しさを感じることはなく、防眩性能に優れたドライヤーを得ることができる。また、上記数式１から得られる係数Ｆに基づいて、光学フィルタ３５の防眩性能を評価することができるので、当該防眩性能を定量的、且つ客観的に評価することができる。なお、係数Ｆとしては、７．００×１０−６（Ｗｍ）以下であることがより好ましく、これにより、より防眩性能を備えたドライヤーを得ることができる。
【００１４】
耐久性、出力、及び波長特性の観点より、発光体２３はハロゲンランプとすることが好ましい。加えて、発光体２３から照射される光の色温度は、２０００Ｋ〜４０００Ｋが好ましく、２５００Ｋ〜３５００Ｋであることがより好ましい。色温度が高すぎると（４０００Ｋを超えると）、赤外線よりも紫外線や可視光の強度が強くなるため、望ましくない。色温度が低すぎると（２０００Ｋを下回ると）、赤外線光を多く発光するようになるものの、発光体２３のサイズが大きくなりすぎ、リフレクタ３４を用いて集光することが困難となる。ドライヤーのサイズの大型化を招来し、ドライヤーの使い勝手が悪くなる不利もある。
【図面の簡単な説明】
【００１５】
【図１】本発明の実施形態に係るドライヤーの要部の縦断側面図である。
【図２】ドライヤーの全体の縦断側面図である。
【図３】ドライヤーの発光構造を示す縦断側面図である。
【図４】ドライヤーの発光構造を示す横断平面図である。
【図５】ドライヤーのケース構造を示す分解側面図である。
【図６】ドライヤーのケース構造を示す分解斜視図である。
【図７】ドライヤーのリフレクタを示す分解斜視図である。
【図８】ドライヤーの発光構造を示す分解断面図である。
【図９】図３におけるＡ−Ａ線断面図である。
【図１０】図３におけるＣ−Ｃ線断面図である。
【図１１】図３におけるＢ−Ｂ線断面図である。
【図１２】実施例１に係るドライヤーに採用された光学フィルタ（フィルタ１）の透過率スペクトルである。
【図１３】実施例２に係るドライヤーに採用された光学フィルタ（フィルタ２）の透過率スペクトルである。
【図１４】実施例３に係るドライヤーに採用された光学フィルタ（フィルタ３）の透過率スペクトルである。
【図１５】実施例４に係るドライヤーに採用された光学フィルタ（フィルタ４）の透過率スペクトルである。
【図１６】実施例５に係るドライヤーに採用された光学フィルタ（フィルタ５）の透過率スペクトルである。
【図１７】実施例６に係るドライヤーに採用された光学フィルタ（フィルタ６）の透過率スペクトルである。
【図１８】実施例１〜３に係るドライヤーの係数（Ｆ）と、防眩性能の評価結果を示す表である。
【図１９】実施例４〜６に係るドライヤーの係数（Ｆ）と、防眩性能の評価結果を示す表である。
【発明を実施するための形態】
【００１６】
図１ないし図１２に、本発明に係るドライヤーをヘアードライヤーに適用した実施形態を示す。本実施形態における前後、左右、上下とは、図２、および図６に示す交差矢印と、各矢印の近傍に表記した前後、左右、上下の表示に従う。図２および図３においてヘアードライヤーは、前後に長い中空筒状の本体ケース１の内部に、ファンモータ２で回転駆動される軸流型の送風ファン３と、加熱源となる熱源ユニット４などを収容して構成される。本体ケース１は、左右に分割された一対の半割体５ａ・５ｂを接合して形成される風導筒５と、風導筒５が内嵌装着される外装筒６とを備える。風導筒５の内面は、送風ファン３から送給される乾燥風の導風路７になっており、導風路７の後端に空気の吸込口８が設けられ、前端に空気の吹出口９が設けられている。吹出口９は吹出ケース１０と補助吹出ケース１１とで囲まれており、一体化した両ケース１０・１１は風導筒５の前部外面にバヨネット係合されている。風導筒５の後部下面には、グリップ１２が一体に形成されており、その内部にメインスイッチ１３と、消灯スイッチ１４と、トランス１５などが配置されている。符号１６はメインスイッチ１３を切換えるスライドノブ、１７は消灯スイッチ１４を切換える押ボタンである。図３において、符号Ｐはヘアードライヤーの中心軸線を示す。上記のように本実施形態では、風導筒５の内部が導風路７になっているが、風導筒５を備えていない場合には、外装筒６の内部が導風路７となる。また、風導筒５の内面、または外装筒６の内面に、断熱用のマイカや金属製の筒体を設けてもよい。
【００１７】
送風ファン３は本体ケース１の後半部に配置されており、吸込口８から吸い込んだ空気を送風ファン３で加圧して吹出口９へ向かって送給する。風導筒５に固定したファンケース２０のホルダー部２１にはファンモータ２が固定されており、これらファンケース２０とホルダー部２１の間には、複数個の整流翼２２が形成されている。ホルダー部２１の前面には、ファンモータ２や後述するハロゲンランプ（発光体）２３、およびイオン放出構造の駆動状態を制御する制御基板２４が固定されている。先のメインスイッチ１３がオフ位置から弱運転位置に切換えられると、制御部はハロゲンランプ２３を低輝度状態で点灯し、送風ファン３を低速で駆動する。メインスイッチ１３が弱運転位置から強運転位置に切換えられると、制御部はハロゲンランプ２３を高輝度状態で点灯し、送風ファン３を高速で駆動する。イオン放出構造は、弱運転位置、および強運転位置のいずれの場合にも作動して、マイナスイオンを放出する。ハロゲンランプ２３が点灯している状態で、消灯スイッチ１４がオン操作されると、制御部はハロゲンランプ２３を一時的に消灯させる。
【００１８】
吸込口８の外面は、パンチングメタル製の第１グリル２５と、多重リング状の第２グリル２６とで覆われている。また、吹出口９の内面は第３グリル２７で覆われている。第２グリル２６と第３グリル２７は、半割体５ａ・５ｂで挟持固定されており、第１グリル２５は風導筒５の後部に着脱可能に装着されている。吹出口９は外装筒６の前端に固定した吹出ケース１０に囲まれており、乾燥風の吹出口と、ハロゲンランプ２３から照射される赤外線（熱線）をユーザーの毛髪へ向けて照射する照射口を兼ねている。吹出口９は、ポリカーボネイト製の吹出ケース１０と耐熱性に富むＰＰＳ樹脂製の補助吹出ケース１１とを一体化して構成されており、吹出ケース１０の後面に設けた係合脚２８を、風導筒５の前部外面の係合壁２９にバヨネット係合し、さらに吹出ケース１０の下端を外装筒６からねじ込んだビス３０で締結することにより、風導筒５と一体化されている。補助吹出ケース１１には、乾燥風の通過を許す通口３１と、乾燥風の一部とマイナスイオンの通過を許すイオン通口３２とが開口されている。
【００１９】
図４において熱源ユニット４は、ハロゲンランプ２３と、リフレクタ３４と、光学フィルタ３５とを備えた１個のユニット部品からなる。ハロゲンランプ２３は、フィラメント（発光部）３６と不活性ガス及びハロゲンガスなどを封入した前後に長いバルブ３７とハウジング３８を備えており、ハウジング３８のプラグ３９をソケット４０に差込み装着することにより、ソケット４０で固定支持されている。ソケット４０は後述する光源台４７に締結固定されている。ハロゲンランプ２３を点灯すると、バルブ３７のフィラメント３６から可視光と赤外光とが照射される。
【００２０】
リフレクタ３４は、前リフレクタ４２と後リフレクタ４３を接合して構成されている。前リフレクタ４２は、左右に分割形成された一対の半割体４２ａ・４２ｂを接合して構成されている（図７参照）。半割体４２ａ・４２ｂはアルミニウムなどの金属をプレス成形した成形品からなり、前リフレクタ４２の内面には、ハロゲンランプ２３から照射された光を光学フィルタ３５へ向かって前向きに反射案内する第１反射面４４と、ハロゲンランプ２３から照射された光を、後述する第３反射面４６へ向かって後向きに反射案内する第２反射面４５とが設けられており、第２反射面４５は第１反射面４４に隣接する状態で形成されている。これら反射面４４・４５は研磨加工や、鏡面仕上げ加工などで形成することができ、必要があればメッキ処理を施して形成してあってもよい。前リフレクタ４２は、１個の反射筒で構成してあってもよく、その場合にはアルミニウムなどの金属を素材とするダイキャスト成形品で構成することができる。
【００２１】
後リフレクタ４３は、アルミニウムなどの金属を素材とするダイキャスト成形品からなり、その前面にハロゲンランプ２３から照射された光および第２反射面４５で反射案内された光を、光学フィルタ３５へ向かって前向きに反射案内する凹面鏡状の第３反射面４６が設けられている。第３反射面４６は研磨加工や、鏡面仕上げ加工などで形成することができ、必要があればメッキ処理を施して形成してあってもよい。第３反射面４６の後側には、ハロゲンランプ２３を支持する光源支持構造が設けられている。光源支持構造は、ハロゲンランプ２３を支持する４個のボスからなる光源台４７と、光源台４７の周囲を囲む、六角筒状の導風壁４８とを備えており、先に説明したソケット４０が各光源台４７に４個のビス４９で、配線基板５０とともに締結固定されている。配線基板５０は、ハロゲンランプ２３に電力を供給するリード線や、ファンモータ２に電力を供給するリード線を、いったんまとめて振り分けるために設けている。
【００２２】
第１反射面４４と、第２反射面４５と、第３反射面４６はそれぞれ以下のように構成されている。第１反射面４４は楕円状の曲面で形成されている。また、第２反射面４５はハロゲンランプ２３のフィラメント３６を中心にした円弧面で形成されている。さらに、第３反射面４６は、楕円状の曲面、または放物線状の曲面で形成されている。こうしたリフレクタ３４によれば、第２反射面４５がハロゲンランプ２３のフィラメント３６を中心にした円弧面で形成されているので、ハロゲンランプ２３から照射され第２反射面４５で反射されて第３反射面４６に向かう光の軌跡と、ハロゲンランプ２３から第３反射面４６に向かって直接照射される光の軌跡は一致することとなる。第１反射面４４で反射案内されて光学フィルタ３５へ向かう光と、第３反射面４６で反射案内されて光学フィルタ３５へ向かう光は、フィラメント３６から３０ｃｍ前方の本体ケース１の外部で集光するようになっている。
【００２３】
上記のように、３個の反射面４４・４５・４６を備えたリフレクタ３４によれば、ハロゲンランプ２３から照射されて各反射面４４・４５・４６に到達した光を、各反射面４４・４５・４６で効率良く反射案内して光学フィルタ３５に向って照射することができる。また、前後に長いハロゲンランプ２３のフィラメント３６の軸方向の中心が、第２反射面４５と第３反射面４６の隣接部分に臨ませてあるので、リフレクタ３４の径方向寸法が大きくなるのを防止してコンパクト化を実現しながら、ハロゲンランプ２３から照射された光を光学フィルタ３５に向かって照射することができる。これは、ハロゲンランプ２３から照射された光を、例えば１個の反射面のみで反射案内する場合には、リフレクタ３４の照射開口の直径寸法が大きくなってしまい、その分だけリフレクタ３４が大型になるからである。フィラメント３６は、その発光中心が第２反射面４５と第３反射面４６の隣接部分に一致する状態で位置させてある必要はなく、軸方向に長いフィラメント３６の一部が、第２反射面４５と第３反射面４６の隣接部分にオーバーラップしていればよい。さらに、第１反射面４４と、第２反射面４５と、第３反射面４６を備えたリフレクタ３４の前後寸法を、リフレクタ３４の径方向寸法より大きく設定したので、前後に長いハロゲンランプ２３を使用するのに適した細長い筒構造のリフレクタ３４を構成することができ、リフレクタ３４の径方向寸法が小さい分だけドライヤーをコンパクト化することができる。
【００２４】
第３反射面４６の中央には、乾燥風をリフレクタ３４の内部に導入するための第１通気口５１が形成されており、先の半割体４２ａ・４２ｂには第２通気口５２が２個ずつ形成されている。第２通気口５２は、半割体４２ａ・４２ｂを接合した状態において、前リフレクタ４２の前端寄りの壁面に、スリット状の開口として全周にわたって形成されている。導風壁４８とハロゲンランプ２３の間は、光源冷却通路になっており、第１通気口５１に連通している。光源台４７に固定した先の配線基板５０は、第１通気口５１から漏れ出た光が吸込口８側へ照射されるのを阻止するための遮光板を兼ねている。
【００２５】
上記の光源支持構造によれば、導風壁４８とハロゲンランプ２３の間の光源冷却通路が第１通気口５１と連通されるので、導風壁４８の後端開口から導入した乾燥風を、第１通気口５１からリフレクタ３４の内部へ流動させ、リフレクタ３４の内部を換気することができる。また、このとき第１通気口５１からリフレクタ３４の内部へ流動させた乾燥風を、ハロゲンランプ２３およびリフレクタ３４に接触させることで、これらハロゲンランプ２３およびリフレクタ３４を効果的に冷却することで、ハロゲンランプ２３およびリフレクタ３４の温度上昇を抑制できる。また、ビス４９を緩めてソケット４０を光源台４７から取外すことにより、ハロゲンランプ２３およびソケット４０をリフレクタ３４から分離することができる。また、プラグ３９をソケット４０から抜外すことにより、ハロゲンランプ２３をソケット４０から分離できるので、ハロゲンランプ２３が故障した場合の交換作業を容易に行うことができる。
【００２６】
前リフレクタ４２と後リフレクタ４３は、第２反射面４５と第３反射面４６が隣接する状態で接合されて締結固定される。両リフレクタ４２・４３を締結固定するために、半割体４２ａ・４２ｂの後縁５４に前係合部５５が折曲げられた状態で径方向へ突出形成されている。また、後リフレクタ４３の前端に、前リフレクタ４２の後縁５４を嵌合支持する接合溝５６と、前リフレクタ４２の後縁５４の周面を支持する接合壁５７が形成されており、さらに接合壁５７の対向２個所には、接合壁５７を切欠いて形成される凹状の後係合部５８とねじボス５９とが形成されている。一対の半割体４２ａ・４２ｂを接合し、前係合部５５と後係合部５８を凹凸係合させることにより、前リフレクタ４２と後リフレクタ４３を接合できる。また、前係合部５５の貫通孔５５ａに挿通したビス６０をねじボス５９にねじ込むことにより、前リフレクタ４２と後リフレクタ４３を一体化できる。リフレクタ３４にハロゲンランプ２３を組み付けた状態では、ハロゲンランプ２３のフィラメント３６の中心が、第２反射面４５と第３反射面４６の隣接部分に臨んでいる（図４参照）。上記のように、前リフレクタ４２と後リフレクタ４３は、前リフレクタ４２の後縁５４と接合溝５６の係合により、径方向のずれ動きが阻止されており、さらに、前係合部５５と後係合部５８の係合により、中心軸Ｐ回りの回動が阻止されている。
【００２７】
光学フィルタ３５は低膨張性ガラスで形成されており、フィルタ支持構造６２で前リフレクタ４２の前端に固定されている。低膨張性ガラスの表面には誘電体多層膜が形成されている。フィルタ支持構造６２は、前リフレクタ４２の前端内面に形成したフィルタ受座６３と、フィルタ受座６３と協同して光学フィルタ３５を前後に挟持固定する押えリング６４とからなる。押えリング６４は、光学フィルタ３５の前周縁を押え保持する端壁６５と、フィルタ受座６３の外周面に外嵌するリング状の周回壁６６とを備えている。図４に示すように、押えリング６４はビス６７で前リフレクタ４２に固定されている。フィルタ受座６３は光学フィルタ３５の周面および後周縁に密着されている。これにより光学フィルタ３５の熱を前リフレクタ４２側へ効果的に伝導させて、光学フィルタ３５の冷却を促進することができる。
【００２８】
上記のように、フィルタ支持構造６２は、前リフレクタ４２に形成したフィルタ受座６３と、同受座６３と協同して光学フィルタ３５を挟持固定する押えリング６４を備える。こうしたフィルタ支持構造６２によれば、光学フィルタ３５をフィルタ受座６３に組み、押えリング６４を前リフレクタ４２の前部周面に外嵌し固定することで、光学フィルタ３５を前リフレクタ４２に簡単に組んで、分離不能にしっかりと固定することができる。
【００２９】
ハロゲンランプ２３は衝撃に弱く、大きな外力が作用するとフィラメントが破損し、あるいは変形する。ハロゲンランプ２３に衝撃が作用するのを防ぐために、熱源ユニット４は本体ケース１に対して浮動支持されている。詳しくは、図９に示すように、光源支持構造の周囲を囲む風導筒５の内面に、熱源ユニット４を支持するリング状のばね受枠６９を固定し、後リフレクタ４３とばね受枠６９の対向面の３個所に、熱源ユニット４を支持する衝撃吸収ばね７０を配置している。また、光学フィルタ３５の周囲を囲む風導筒５の内面に、熱源ユニット４を支持する六角リング状のユニット支持枠７１を固定し、後述する防眩体７９とユニット支持枠７１の対向面の３個所に、熱源ユニット４を支持するゲル状弾性体７２を配置している。
【００３０】
ばね受枠６９は、板ばねで形成した３個のばね腕７３を六角枠状に連結して構成されており、各ばね腕７３の中央には、衝撃吸収ばね７０の一端を受止めるばね座７４が形成されている。ばね座７４と対向する後リフレクタ４３の導風壁４８にも衝撃吸収ばね７０の他端を受止めるばね座７５が形成されている。ユニット支持枠７１は、板ばねで六角枠状に形成されており、その３個所にゲル状弾性体７２を保持するゲル保持部７６が形成されている。上記のように、本体ケース１で浮動支持された熱源ユニット４は、ばね受枠６９と衝撃吸収ばね７０が弾性変形し、さらにユニット支持枠７１が弾性変形し、ゲル状弾性体７２が衝撃を吸収することで、衝撃を緩和吸収してハロゲンランプ２３に衝撃が作用することを防止する。従って、本体ケース１が他物に衝突して外部衝撃を受けるような場合であっても、外部衝撃の殆どを衝撃吸収ばね７０、およびゲル状弾性体７２で吸収して、熱源ユニット４に衝撃が作用することを防止できる。ハロゲンランプ２３が外部衝撃や外部振動を受けて故障することを良く防止できるので、ハロゲンランプ２３の発光機能を長期にわたって適正に発揮させることができる。
【００３１】
使用時には、ハロゲンランプ２３を点灯し、送風ファン３を駆動して、光学フィルタ３５を通過した赤外線を髪に照射し、さらに、送風ファン３から送給された乾燥風（冷却風）を髪に送給して髪の乾燥を行う。乾燥風の一部は後開口７７から導風壁４８内へ導入され、光源冷却通路から第１通気口５１へ流入しながら、ハロゲンランプ２３とリフレクタ３４、および光学フィルタ３５を冷却したのち、第２通気口５２からリフレクタ３４の外へ流出し、導風路７を流動する乾燥風と合流して吹出口９から送出される。送風ファン３から送給された乾燥風の一部は、熱源ユニット４の周囲の導風路７に沿って流動する間に、第２通気口５２の周囲を負圧状態にする。従って、ベンチュリー効果によって、リフレクタ３４内部の第２通気口５２の付近の空気が先の乾燥風に引寄せられて合流し、吹出口９へと送出される。なお、送風ファン３から送給された乾燥風を、後開口７７から導風壁４８の内部に正圧の乾燥風として導入し、ハロゲンランプ２３とリフレクタ３４、および光学フィルタ３５を冷却したのち、第２通気口５２からリフレクタ３４の外へ流出させるようにしてもよい。
【００３２】
乾燥風が第２通気口５２から流出するとき、ハロゲンランプ２３から照射された光の一部が第２通気口５２から漏れ出てしまう。このように、第２通気口５２から漏れ出た光が吹出口９から照射されて、髪乾燥時のユーザーに眩しさを感じさせるのを防ぐために、第２通気口５２の外面に、第２通気口５２から漏れ出た光を吹出口９から遠ざかる向きに変向案内する防眩構造を設けている。図１において防眩構造は、第２通気口５２の開口外面を覆う筒状の防眩体７９を備えており、実施形態では、先に説明した周回壁６６が防眩体７９として機能する。
【００３３】
このように周回壁６６が防眩体７９を兼ねていると、押えリング６４とは別に防眩体７９を設ける場合に比べて、押えリング６４を利用する分だけ部品点数を少なくしてドライヤーの製造コストを削減できる。また、リング状の防眩体７９は、リフレクタ３４に形成した全ての第２通気口５２の開口外面を覆っており、防眩体７９の筒壁後端は、第２通気口５２の後開口縁より後方へ突設している。こうした防眩構造によれば、第２通気口５２の後開口縁から径方向に照射された光や、斜め前向きに照射された光を、防眩体７９の筒壁内面で確実に遮蔽できる。光の一部は、防眩体７９とリフレクタ３４の周面の間の空間を介して導風路７に照射されるが、防眩体７９の筒壁後端が第２通気口５２の後開口縁より後方に位置しているので、導風路７に照射された光は全て後向きに傾斜した状態で反射を繰り返す。従って、導風路７内の光が吹出口９へ向かって照射されるのをさらに確実に防止できる。
【００３４】
上記のように、第２通気口５２の開口外面を防眩体７９で覆うと、防眩体７９と第２通気口５２の間に、乾燥風の通過を許す通気通路８０が第２通気口５２に連続する状態で横臥Ｌ字状に形成される。通気通路８０の前端は、前リフレクタ４２から突設されて防眩体７９の内面に接当する通路端壁８１で塞がれているので、通気通路８０に流入した乾燥風は、後向きに反転移動する。さらに、通気通路８０から流出した乾燥風は、通路端壁８１の後端に沿って反転移動して、導風路７を流動する乾燥風と合流する。こうした乾燥風の反転移動を円滑に行うために、防眩体７９と通路端壁８１で挟まれる内隅部分に、乾燥風を後向きに反転案内する後反転案内面８２を形成し、防眩体７９の後端部に、乾燥風を前向きに反転案内する前反転案内面８３を形成している（図１参照）。後反転案内面８２は、通路端壁８１に連続する４分円状の円弧面からなり、前反転案内面８３は半円状の円弧面からなる。
【００３５】
第１反射面４４と第２反射面４５が隣接するくびれ部分の周囲には、美容成分を乾燥風に放出する徐放リング８５が配置されている。徐放リング８５は、内リング８６と、外リング８７と、両リング８６・８７の間に設けられる一群の放射壁８８を一体に備えた多孔セラミック体からなり、その多孔部分にビタミンやコラーゲンなどの美容成分が含浸されている。ユニット支持枠７１と、徐放リング８５と、ばね受枠６９は、それぞれ風導筒５の半割体５ａ・５ｂの対向面の前後３個所に設けた前挟持部８９と、中挟持部９０と、後挟持部９１で強固に挟持固定されている。上記のように、導風路７に臨んで徐放リング８５が設けられていると、徐放リング８５と接触する乾燥風に美容成分を放出して、美容成分を含む乾燥風を吹出口９から送給できる。
【００３６】
マイナスイオンを乾燥風とともに髪へ送給するために、吹出口９に臨む風導筒５の内部にイオン放出構造を設けている。イオン放出構造は電極ホルダー９３と、電極ホルダー９３で支持される３個の中央電極９４と、中央電極９４の周囲を囲む筒壁９５に固定される周囲電極９６とを備えている。電極ホルダー９３は風導筒５に設けた一対の挟持壁９７で挟持固定されている。図３において、熱源ユニット４より前側の風導筒５の上壁部分には、温度ヒューズ９８が配置されている。
【００３７】
以上のように構成した実施形態のヘアードライヤーでは、リフレクタ３４の内部に導入した乾燥風でハロゲンランプ２３とリフレクタ３４を冷却しながら、乾燥風と共に第２通気口５２から漏れ出た光を防眩体７９で遮蔽して、光が導風路７に沿って吹出口９側へ向かって照射されるのを防止できる。例えば、第２通気口５２から漏れ出た光を、防眩体７９で第２通気口５２の側へ向かって反射させ、あるいは防眩体７９で散乱させ、さらに防眩体７９で吸収し減衰させることができる。従って、リフレクタ３４の外へ漏れ出た光が吹出口９から照射されるのを確実に防止して、髪乾燥時のユーザーに眩しさを感じさせることのないドライヤーを提供できる。
【００３８】
また、防眩体７９を筒状に形成するとともに、防眩体７９の筒壁後端を第２通気口５２の後開口縁より後方へ突設させるようにしたので、第２通気口５２の後開口縁から径方向に照射された光や、斜め前向きに照射された光を、防眩体７９の筒壁内面で確実に遮蔽することができる。また、光の一部は、防眩体７９とリフレクタ３４の周面の間の空間を介して導風路７に照射されるが、防眩体７９の筒壁後端が第２通気口５２の後開口縁より後方に位置させているので、導風路７に照射された光は全て後向きに傾斜した状態で反射を繰り返す。従って、導風路７内の光が吹出口９へ向かって照射されるのをさらに確実に防止できる。
【００３９】
次に本発明に係るドライヤーにおける防眩性能の確認試験方法と、当該試験により得られた係数（Ｆ）の臨界的意義について以下の実施例１〜６のドライヤーに基づいて説明する。
【００４０】
（実施例１）
日本分光社製のV-570型蛍光分光光度計を用いて測定した結果、図１２に示すような透過率スペクトルを示す光学フィルタ（以下「フィルタ１」と記す。）を用いてドライヤー（実施形態１に示したドライヤー）を作成した。当該フィルタ１は、渋谷光学社製のコールドミラー（ＣＭ０２０）である。発光体２３はハロゲンランプであり、発光体２３から照射される光の色温度は、２８００Ｋであった。
【００４１】
８３０ｎｍ〜２０００ｎｍの近赤外領域におけるフィルタ１の平均透過率は９４．３％であり、当該平均透過率は８０％以上であった。なお、以下の実施例２〜６の光学フィルタ（フィルタ２〜６）を備えるドライヤーにおいても同様であり、８３０ｎｍ〜２０００ｎｍの近赤外領域における平均透過率は８０％以上であった。これら実施例１〜６に係る各ドライヤーを用いて加熱乾燥試験を行ったが、全てのドライヤーが、良好な加熱性能を具備するとともに、優れた乾燥性能を有するものであることが確認できた。これは、上述のように、実施例１〜６に係るドライヤーにおいて採用された光学フィルタ（フィルタ１〜６）３５の近赤外線の平均透過率が８０％以上であることに拠る。
【００４２】
上記のフィルタ１を備えるドライヤーにおいて、発光体の出力（Ｐ）を変更しながら、当該フィルタ１を介してドライヤーの吹出口９から照射される光（照射光）について、その眩しさを評価した。より具体的には、７２Ｗ、１２０Ｗ、１７４Ｗ、２２９Ｗ、２８６Ｗ、３４９Ｗ、４１０Ｗ、および４６０Ｗに発光体の出力（Ｐ）を変更しながら、照射光の眩しさを◎、○、×の三段階に評価した。これら◎、○、×の評価基準は以下のとおりとした。
◎：吹出口９を介して発光体２３であるハロゲンランプを直視しても眩しさを感じない。
○：発光体２３を直視したとき、ある程度は眩しさは感じるものの、数秒間であれば発光体２３を直視することは可能である。
×：発光体２３を直視すると眩しく感じ、裸眼で見ることができない。
【００４３】
次に、上記のフィルタ１を備えるドライヤーにおいて、３６０ｎｍ〜８３０ｎｍの可視光領域における２ｎｍの波長間隔（３６０ｎｍ、３６２ｎｍ、３６４ｎｍ・・・８２８ｎｍ、８３０ｎｍ）で、各波長におけるフィルタ１の透過率（Ｔ（λ））を得た。より具体的には、図１２の透過率スペクトルに基づいて、各波長におけるフィルタ１の透過率（Ｔ（λ））を得た。
【００４４】
次にＣＩＥ−１９２４の明所標準比視感度（Ｖ（λ））に基づいて、３６０ｎｍ〜８３０ｎｍの可視光領域において２ｎｍの波長間隔で感度（Ｖ（λ））を得た。これら透過率（Ｔ（λ））と感度（Ｖ（λ））を乗法し、さらに発光体の出力（Ｐ）と、波長間隔（２ｎｍ）を乗法した。そして３６０ｎｍ〜８３０ｎｍの可視光領域において、上記の光学フィルタの透過率（Ｔ（λ））と感度（Ｖ（λ））と発光体の出力（Ｐ）と波長間隔（２ｎｍ）の４者を乗法してなる値を積分して係数（Ｆ）を得た。フィルタ１の各発光体の出力（Ｐ）における係数（Ｆ）の算出結果と、照射光の眩しさの評価結果を図１８に示す。
【００４５】
（実施例２〜６）
光学フィルタ３５として、図１３に示すような透過率スペクトルを示す光学フィルタ（以下「フィルタ２」と記す。）を用いてドライヤー（実施形態１に示したドライヤー）を作成した。先の実施例１と同様の手順で、発光体の出力（Ｐ）を変更しながら、当該フィルタ２を介した照射光の眩しさを評価した。また、先の実施例１と同様の手順で、フィルタ２の透過率（Ｔ（λ））を得て、当該透過率（Ｔ（λ））と感度（Ｖ（λ））と発光体の出力（Ｐ）と波長間隔（２ｎｍ）の４者を乗法してなる値を、可視光領域３６０ｎｍ〜８３０ｎｍの範囲で積分して係数（Ｆ）を得た。
【００４６】
さらに、上記実施例１、２と同様の手順で、図１４〜１７に示す光学フィルタ（フィルタ３〜６）を用いてドライヤーを作成して、これら光学フィルタを介した照射光の眩しさを評価するとともに係数（Ｆ）を得た。これらフィルタ１〜６の各発光体の出力における係数（Ｆ）の算出結果と、照射光の眩しさの評価結果を図１８と図１９に示す。
【００４７】
図１８のフィルタ３の発光体出力３４９Ｗであるときの評価（○）、および図１８のフィルタ３の発光体出力４１０Ｗであるときの評価（×）の比較より、係数Ｆが１０．００×１０−６以下である場合には、防眩性能に優れたドライヤーが得られることが確認できた。さらに、図１９のフィルタ４の発光体出力７２Ｗであるときの評価（◎）より、係数Ｆが７．００×１０−６以下である場合には、より防眩性能に優れたドライヤーが得られることが確認できた。これらに対して、係数Ｆが１０．００×１０−６を超えると、光学フィルタ３５の防眩性能が低下して、光源である発光体２３を裸眼で見ることは不可能となることが確認できた。
【００４８】
以上の実施例１〜６より、本発明においては、光学フィルタ３５の近赤外線の平均透過率を８０％以上としたので、すなわち、透過率スペクトル（図１２〜図１７）で特定される近赤外線領域における平均透過率が８０％以上である光学フィルタ３５を採用したので、当該光学フィルタ３５により近赤外線は殆ど減退されず、発光体２３から発光された近赤外線を効率的に毛髪等の対象物に照射できる。これにより、近赤外線に由来する毛髪に対する加熱性能が良好に発揮されるので、優れた乾燥性能を有するドライヤーを得ることができる。
【００４９】
また、本発明によれば、数式１から得られる係数Ｆを１０．００×１０−６（Ｗｍ）以下としたので、光学フィルタ３５を通過した光がユーザーの目に入ったときにも、ユーザーが眩しさを感じることはなく、防眩性能に優れたドライヤーを得ることができる。また、上記数式１から得られる係数Ｆに基づいて、光学フィルタ３５の防眩性能を評価することができるので、当該防眩性能を定量的、且つ客観的に評価することができる。さらに係数Ｆとしては、７．００×１０−６（Ｗｍ）以下であることがより好ましく、これにより、より防眩性能を備えたドライヤーを得ることができることが確認できた。
【符号の説明】
【００５０】
１  本体ケース
３  送風ファン
７  導風路
９  吹出口
２３  発光体（ハロゲンランプ）
３４  リフレクタ
３５  光学フィルタ
【図１】
2020074893.tif 000005
【図２】
2020074893.tif 000006
【図３】
2020074893.tif 000007
【図４】
2020074893.tif 000008
【図５】
2020074893.tif 000009
【図６】
2020074893.tif 000010
【図７】
2020074893.tif 000011
【図８】
2020074893.tif 000012
【図９】
2020074893.tif 000013
【図１０】
2020074893.tif 000014
【図１１】
2020074893.tif 000015
【図１２】
2020074893.tif 000016
【図１３】
2020074893.tif 000017
【図１４】
2020074893.tif 000018
【図１５】
2020074893.tif 000019
【図１６】
2020074893.tif 000020
【図１７】
2020074893.tif 000021
【図１８】
2020074893.tif 000022
【図１９】
2020074893.tif 000023